(57)【要約】【課題】      ユーザが所有する音楽ＣＤやＤＶＤ、又はネットワークからダウンロードした音楽から自分だけのオリジナル着信メロディを簡単に作成することができる着信メロディ作成装置を提供する。【解決手段】  本発明の着信メロディ作成装置は、ＰＣ１０で構成され、入力部１７と、着信メロディを生成する着信メロディ生成部１６と、楽曲出力部１８と、携帯電話２０に接続するための外部入出力部１３と、一時記憶部１５と、楽曲ＤＢ１４と、記録媒体読取部１２と、ネットワーク４０に接続されたサーバ３０からプロバイダ５０Ａを介して楽曲データをダウンロードするためにネットワーク４０に通信可能に接続する通信制御部１１と、を備える。【選択図】  図１
2006154353.tif 000002
【特許請求の範囲】
【請求項１】
携帯電話の着信メロディを作成する着信メロディ作成装置であって、
情報を入力する入力手段と、
楽曲データ及び前記入力手段からの情報に基づいて、着信メロディを生成する着信メロディ生成手段と、
前記着信メロディ生成手段で生成された前記着信メロディを記憶する楽曲記憶手段と、
を備え、
前記着信メロディ生成手段は、
前記入力手段からの情報に基づいて、前記楽曲データのうち使用する範囲を指定するポイント制御手段と、
前記入力手段からの情報に基づいて、前記ポイント制御手段で指定された範囲の音量を制御する音量制御手段と、
前記入力手段からの情報に基づいて、前記ポイント制御手段で指定された範囲のアレンジを行うアレンジ制御手段と、
前記ポイント制御手段、前記音量制御手段及び／又は前記アレンジ制御手段によって生成された着信メロディを再生する再生手段と、
前記着信メロディを携帯電話に送信するための入出力制御手段と、
を備える、
ことを特徴とする着信メロディ作成装置。
【請求項２】
さらに、前記着信メロディ生成手段で生成された着信メロディを楽曲として出力する楽曲出力手段を備える、ことを特徴とする請求項１記載の着信メロディ作成装置。
【請求項３】
さらに、携帯電話に接続するための外部入出力手段を備える、ことを特徴とする請求項１又は２記載の着信メロディ作成装置。
【請求項４】
前記外部入出力手段は、ＵＳＢポートである、ことを特徴とする請求項３記載の着信メロディ作成装置。
【請求項５】
さらに、前記楽曲データを記憶する楽曲データ記憶手段を備える、ことを特徴とする請求項１から４何れか記載の着信メロディ作成装置。
【請求項６】
前記楽曲データ記憶手段は、ＲＡＭ（Ｒａｎｄｏｍ  Ａｃｃｅｓｓ  Ｍｅｍｏｒｙ）である、ことを特徴とする請求項５何れか記載の着信メロディ作成装置。
【請求項７】
前記楽曲データ記憶手段及び前記着信メロディを記憶する楽曲記憶手段は、ＨＤ（Ｈａｒｄ  Ｄｉｓｋ）である、ことを特徴とする請求項５又は６何れか記載の着信メロディ作成装置。
【請求項８】
さらに、記録媒体に記録されている楽曲データを読み取る記録媒体読取手段を備える、ことを特徴とする請求項１から７何れか記載の着信メロディ作成装置。
【請求項９】
前記記録媒体読取手段は、ＤＶＤ／ＣＤ−ＲＯＭドライブである、ことを特徴とする請求項８記載の着信メロディ作成装置。
【請求項１０】
さらに、ネットワークに接続する通信制御手段を備え、
前記通信制御手段は、楽曲データを前記ネットワークに接続されたサーバからダウンロードする、
ことを特徴とする請求項１から９何れか記載の着信メロディ作成装置。
【請求項１１】
前記着信メロディ生成手段は、接続されている携帯電話を通信端末として、楽曲データをダウンロードする、ことを特徴とする請求項１から１０何れか記載の着信メロディ作成装置。
【請求項１２】
前記着信メロディ生成手段は、接続されている携帯電話のみに、生成した着信メロディを送信する、ことを特徴とする請求項１から１１何れか記載の着信メロディ作成装置。
【請求項１３】
前記着信メロディ生成手段は、生成した着信メロディの送信回数を制限する、ことを特徴とする請求項１から１２何れか記載の着信メロディ作成装置。
【請求項１４】
前記着信メロディ生成手段は、生成した着信メロディを送信する携帯電話を制限する、ことを特徴とする請求項１から１３何れか記載の着信メロディ作成装置。
【請求項１５】
前記着信メロディ生成手段は、携帯電話の制限を、該携帯電話固有のＩＤによって制御する、ことを特徴とする請求項１４記載の着信メロディ作成装置。
【請求項１６】
前記入力手段は、キーボード及び／又はマウスである、ことを特徴とする請求項１から１５何れか記載の着信メロディ作成装置。
【請求項１７】
入力手段、楽曲出力手段、外部入出力手段、記憶手段及びデータ読取手段を備えるコンピュータにおいて携帯電話の着信メロディを作成する着信メロディ作成方法であって、
（Ａ）データ読取手段で楽曲データを読み込み、
（Ｂ）入力手段からの情報に基づいて、楽曲データのうち使用する範囲を指定し、
（Ｃ）入力手段からの情報に基づいて、指定された範囲の音量を制御し、
（Ｄ）入力手段からの情報に基づいて、指定された範囲のアレンジを行い、
（Ｅ）前記ステップ（Ｂ）〜（Ｄ）によって生成された着信メロディを記憶手段に記憶し、
（Ｆ）記憶した着信メロディを外部入出力手段から携帯電話に送信する、
ことを特徴とする着信メロディ作成方法。
【請求項１８】
前記ステップ（Ｅ）は、さらに、生成された着信メロディを楽曲出力手段に出力する、ことを特徴とする請求項１７記載の着信メロディ作成方法。
【請求項１９】
前記ステップ（Ｆ）は、携帯電話にＵＳＢポートを介して送信する、ことを特徴とする請求項１７又は１８記載の着信メロディ作成方法。
【請求項２０】
前記ステップ（Ａ）は、読み込んだ前記楽曲データを記憶する、ことを特徴とする請求項１７から１９何れか記載の着信メロディ作成方法。
【請求項２１】
前記ステップ（Ａ）は、読み込んだ前記楽曲データをコンピュータのＲＡＭに記憶する、ことを特徴とする請求項２０記載の着信メロディ作成方法。
【請求項２２】
前記ステップ（Ａ）及び前記ステップ（Ｅ）は、楽曲データ及び着信メロディをＨＤに記憶する、ことを特徴とする請求項２０記載の着信メロディ作成方法。
【請求項２３】
前記ステップ（Ａ）は、記録媒体に記録されている楽曲データを読み取る、ことを特徴とする請求項１７から２２何れか記載の着信メロディ作成方法。
【請求項２４】
前記ステップ（Ａ）は、ＤＶＤ／ＣＤ−ＲＯＭドライブから記録媒体に記録されている楽曲データを読み取る、ことを特徴とする請求項２３記載の着信メロディ作成方法。
【請求項２５】
前記ステップ（Ａ）は、楽曲データをネットワークに接続されたサーバからダウンロードする、ことを特徴とする請求項１７から２４何れか記載の着信メロディ作成方法。
【請求項２６】
前記ステップ（Ａ）は、接続されている携帯電話を通信端末として、楽曲データをダウンロードする、ことを特徴とする請求項１７から２５何れか記載の着信メロディ作成方法。
【請求項２７】
前記ステップ（Ｆ）は、接続されている携帯電話のみに、生成した着信メロディを送信する、ことを特徴とする請求項１７から２６何れか記載の着信メロディ作成方法。
【請求項２８】
前記ステップ（Ｆ）は、生成した着信メロディの送信回数を制限する、ことを特徴とする請求項１７から２７何れか記載の着信メロディ作成方法。
【請求項２９】
前記ステップ（Ｆ）は、生成した着信メロディを送信する携帯電話を制限する、ことを特徴とする請求項１７から２８何れか記載の着信メロディ作成方法。
【請求項３０】
前記ステップ（Ｆ）は、携帯電話の制限を、該携帯電話固有のＩＤによって制御する、ことを特徴とする請求項２９記載の着信メロディ作成方法。
【請求項３１】
携帯電話の着信メロディを作成するためのプログラムであって、前記請求項１から１６何れか記載の着信メロディ作成装置の機能を、コンピュータに実現させる、ことを特徴とするプログラム。
【請求項３２】
携帯電話の着信メロディを作成するためのプログラムであって、前記請求項１７から３０何れか記載の着信メロディ作成方法の処理を、コンピュータに実行させる、ことを特徴とするプログラム。
【発明の詳細な説明】
【技術分野】
【０００１】
本発明は、携帯電話の着信メロディ（着信音や音声（歌）を含む）を作成するための着信メロディ作成装置、着信メロディ作成方法及びプログラムに関する。特には、ユーザが所有する音楽ＣＤやＤＶＤ、又はネットワークからダウンロードした音楽から自分だけのオリジナル着信メロディを簡単に作成することができる着信メロディ作成装置、着信メロディ作成方法及びプログラムに関する。
【背景技術】
【０００２】
今日において、携帯電話の普及が増大し、多くの人々が持ち歩くようになっている。このため、携帯電話のユーザは、人ごみの中でも自分だけに判るような特別な着信メロディを作成したり、お気に入りのアーティストの曲から作られた着信メロディをダウンロードして利用したりしている。
【０００３】
例えば、特許公開２００４−２１９７９０公報には、ユーザが所有する音声楽曲再生機での音声楽曲再生履歴やこの履歴を用いた嗜好分析結果を着信メロディ販売元に送信し、着信メロディ販売元はこのデータを用いて、ユーザの嗜好に合った着信メロディまたはその購入情報を携帯電話に配信するシステムが記載されている。これによって、ユーザニーズが変化してもユーザの嗜好に合った着信メロディまたはその購入情報を携帯電話に配信できるようになっている。
【特許文献１】特許公開２００４−２１９７９０公報
【発明の開示】
【発明が解決しようとする課題】
【０００４】
しかしながら、特許公開２００４−２１９７９０公報などの従来のシステムや方法によれば、お気に入りのアーティストの曲から作られた着信メロディを着信メロディ販売元から供給されるため、自分だけのオリジナル着信メロディを利用することにはならない。
【０００５】
また、ユーザが自分だけのオリジナル着信メロディを作成する場合、携帯電話のボタンを音符ごとに押して作成する必要があり、非常に手間や時間がかかる。
【０００６】
従って、本発明の目的は、ユーザが所有する音楽ＣＤやＤＶＤ、又はネットワークからダウンロードした音楽から自分だけのオリジナル着信メロディを簡単に作成することができる着信メロディ作成装置、着信メロディ作成方法及びプログラムを提供することである。
【課題を解決するための手段】
【０００７】
上記課題を解決するため、本発明の着信メロディ作成装置は、携帯電話の着信メロディを作成する着信メロディ作成装置であって、情報を入力する入力手段と、楽曲データ（音声データを含む）及び入力手段からの情報に基づいて、着信メロディを生成する着信メロディ生成手段と、着信メロディ生成手段で生成された着信メロディを記憶する楽曲記憶手段と、を備え、着信メロディ生成手段は、入力手段からの情報に基づいて、楽曲データのうち使用する範囲を指定するポイント制御手段と、入力手段からの情報に基づいて、ポイント制御手段で指定された範囲の音量を制御する音量制御手段と、入力手段からの情報に基づいて、ポイント制御手段で指定された範囲のアレンジを行うアレンジ制御手段と、ポイント制御手段、音量制御手段及び／又はアレンジ制御手段によって生成された着信メロディを再生する再生手段と、着信メロディを携帯電話に送信するための入出力制御手段と、を備える、ことを特徴とする。
【０００８】
さらに、着信メロディ生成手段で生成された着信メロディを楽曲として出力する楽曲出力手段を備える、ことができる。
【０００９】
また、携帯電話に接続するための外部入出力手段を備える、ことができ、外部入出力手段は、ＵＳＢポートである。
【００１０】
さらに、楽曲データを記憶する楽曲データ記憶手段を備え、楽曲データ記憶手段は、ＲＡＭである、ようにすることができる。または、楽曲データ記憶手段及び着信メロディを記憶する楽曲記憶手段は、ＨＤである、ようにすることもできる。
【００１１】
また、記録媒体に記録されている楽曲データを読み取る記録媒体読取手段を備え、記録媒体読取手段は、ＤＶＤ／ＣＤ−ＲＯＭドライブである、ようにするとよい。
【００１２】
さらに、ネットワークに接続する通信制御手段を備え、通信制御手段は、楽曲データをネットワークに接続されたサーバからダウンロードする、ことができる。
【００１３】
また、着信メロディ生成手段は、接続されている携帯電話を通信端末として、楽曲データをダウンロードする、ことができる。
【００１４】
また、着信メロディ生成手段は、接続されている携帯電話のみに、生成した着信メロディを送信する、ようにする。このとき、着信メロディ生成手段は、生成した着信メロディの送信回数を制限したり、生成した着信メロディを送信する携帯電話を制限する、ことができる。この携帯電話の制限を、該携帯電話固有のＩＤによって制御する、ようにするとよい。また、入力手段は、キーボード及び／又はマウスである。
【００１５】
また、上記課題を解決するため、本発明の着信メロディ作成方法は、入力手段、楽曲出力手段、外部入出力手段、記憶手段及びデータ読取手段を備えるコンピュータにおいて携帯電話の着信メロディを作成する着信メロディ作成方法であって、（Ａ）データ読取手段で楽曲データを読み込み、（Ｂ）入力手段からの情報に基づいて、楽曲データのうち使用する範囲を指定し、（Ｃ）入力手段からの情報に基づいて、指定された範囲の音量を制御し、（Ｄ）入力手段からの情報に基づいて、指定された範囲のアレンジを行い、（Ｅ）ステップ（Ｂ）〜（Ｄ）によって生成された着信メロディを記憶手段に記憶し、（Ｆ）記憶した着信メロディを外部入出力手段から携帯電話に送信する、ことを特徴とする。
【００１６】
ステップ（Ｅ）は、さらに、生成された着信メロディを楽曲出力手段に出力する、ことができる。
【００１７】
ステップ（Ｆ）は、携帯電話にＵＳＢポートを介して送信する、ことができる。
【００１８】
また、ステップ（Ａ）は、読み込んだ楽曲データを記憶する、ことができる。このとき、読み込んだ楽曲データをコンピュータのＲＡＭに記憶する、ことができる。または、ステップ（Ａ）及びステップ（Ｅ）は、楽曲データ及び着信メロディをＨＤに記憶する、ことができる。
【００１９】
また、ステップ（Ａ）は、記録媒体に記録されている楽曲データを読み取る、ことができる。このとき、ステップ（Ａ）は、ＤＶＤ／ＣＤ−ＲＯＭドライブから記録媒体に記録されている楽曲データを読み取る、ようにするとよい。
【００２０】
また、ステップ（Ａ）は、楽曲データをネットワークに接続されたサーバからダウンロードする、ことができる。このとき、ステップ（Ａ）は、接続されている携帯電話を通信端末として、楽曲データをダウンロードする、ようにしてもよい。
【００２１】
また、ステップ（Ｆ）は、接続されている携帯電話のみに、生成した着信メロディを送信する、ようにすることができる。また、ステップ（Ｆ）は、生成した着信メロディの送信回数を制限し、または、生成した着信メロディを送信する携帯電話を制限する、ことができる。このとき、ステップ（Ｆ）は、携帯電話の制限を、該携帯電話固有のＩＤによって制御する、こともできる。
【００２２】
また、上記課題を解決するため、本発明のプログラムは、携帯電話の着信メロディを作成するためのプログラムであって、上記何れか記載の着信メロディ作成装置の機能を、コンピュータに実現させる、ことを特徴とする。
【００２３】
また、上記課題を解決するため、本発明のプログラムは、携帯電話の着信メロディを作成するためのプログラムであって、上記何れか記載の着信メロディ作成方法の処理を、コンピュータに実行させる、ことを特徴とする。
【発明の効果】
【００２４】
本発明の着信メロディ作成装置、着信メロディ作成方法及びプログラムによれば、ユーザが所有する音楽ＣＤやＤＶＤ、又はネットワークからダウンロードした音楽から自分だけのオリジナル着信メロディを簡単に作成することができる。
【発明を実施するための最良の形態】
【００２５】
以下、図面を参照して本発明の着信メロディ作成装置、着信メロディ作成方法及びプログラムの実施の形態を説明する。
【００２６】
図１は、本発明の着信メロディ作成装置の一例を示す図である。図１において、この着信メロディ作成装置は、ＰＣ（Ｐｅｒｓｏｎａｌ  Ｃｏｍｐｕｔｅｒ）１０で構成され、情報を入力するキーボードやマウスなどの入力部１７と、楽曲データ（音声データを含む）及び入力部１７からの情報に基づいて、着信メロディを生成する着信メロディ生成部１６と、着信メロディ生成部１６で生成された着信メロディを楽曲（音声を含む）として出力する、スピーカやヘッドホン端子などの楽曲出力部１８と、携帯電話２０に接続するためのＵＳＢポートなどの外部入出力部１３と、着信メロディ生成時に使用される楽曲データを一時的に記憶する、ＲＡＭなどの一時記憶部１５と、楽曲データ及び着信メロディ生成部１６で生成された着信メロディを記憶する、ＨＤなどの楽曲ＤＢ１４と、ＵＳＢメモリ、外付けＨＤ、メモリカード、ＤＶＤ、ＣＤなどの外部記録媒体に記録されている楽曲データを読み取る、ＤＶＤ／ＣＤ−ＲＯＭドライブやＵＳＢポートなどの記録媒体読取部１２と、インターネットなどのネットワーク４０に接続されたサーバ３０からプロバイダ５０Ａを介して楽曲データをダウンロードするためにネットワーク４０に通信可能に接続する通信制御部１１と、を備えている。
【００２７】
また、着信メロディ生成部１６は、入力部１７からの情報に基づいて、楽曲データのうち使用する範囲を指定するポイント制御部２３と、入力部１７からの情報に基づいて、ポイント制御部２３で指定された範囲の音量を制御する音量制御部２１手段と、入力部１７からの情報に基づいて、ポイント制御部２３で指定された範囲のアレンジ（変調、ミキシング、エコー処理、テンポ調整、音声楽曲から音声消去（楽曲のみ抽出）または楽曲消去（音声のみ抽出）など）を行うアレンジ制御部２２と、ポイント制御部２３、音量制御部２１及び／又はアレンジ制御部２２によって生成された着信メロディを再生する再生部２４と、着信メロディを携帯電話２０に送信するための入出力制御部２５と、を備える。
【００２８】
ここで、着信メロディ生成部１６は、接続されている携帯電話２０を通信端末として、プロバイダ５０Ｂ及びネットワーク４０を介して、サーバ３０から楽曲データをダウンロードすることができる。携帯電話２０でダウンロードされた楽曲データは、外部入出力部１３を介して着信メロディ生成部１６の入出力制御部２５に送られる。また、携帯電話２０によってダウンロードされた楽曲データは、楽曲ＤＢ１４に記憶することができる。携帯電話２０を通信端末として楽曲データをサーバ３０からダウンロードする方法としては、図１に示す構成以外にも、一般的な方法として、携帯電話２０を通信モデムとして利用する方法や、携帯電話２０そのものに楽曲データをダウンロードし、ＵＳＢポート（外部入出力部１３）などからＰＣ１０のＨＤ（楽曲ＤＢ１４）に記憶する方法などがある。
【００２９】
また、利用する楽曲データの著作権を保護する機能として、着信メロディ生成部１６は、接続されている携帯電話２０のみに、生成した着信メロディを送信するようにすることができる。すなわち、生成した着信メロディは、物理的に接続された携帯電話２０のみに送信でき、ネットワーク４０を介して配信することができないようにする。また、着信メロディ生成部１６は、生成した着信メロディの送信回数を所定回数に制限することができる。この場合には、送信回数が制限回数に達した場合、楽曲ＤＢ１４に記憶されている着信メロディを削除するようにするとよい。また、生成した着信メロディを送信する携帯電話２０を制限するようにすることができる。この携帯電話２０の制限を、該携帯電話固有のＩＤによって行うようにする。例えば、着信メロディを送信する携帯電話２０の最大数を制限し、その範囲内で生成した着信メロディに携帯電話固有のＩＤを紐付けて楽曲ＤＢ１４に登録することができる。
【００３０】
図２は、本発明の着信メロディ作成方法を示すフローチャートである。図２において、ダウンロード、ＤＶＤ、ＣＤなどから楽曲データを読み込み、楽曲ＤＢ１４や一時記憶部１５に記憶し、楽曲（音声を含む）を再生する（ステップ２０１）。
【００３１】
そして、着信メロディの生成処理を行う（ステップ２０２、ステップ２０３−１〜３、ステップ２０４）。具体的には、キーボードやマウスなどの入力部１７を使用して、ポイント制御部２３によって着信メロディに使用する部分（フレーズ）を楽曲データから選択（例えば、再生時間の開始と終了をポイントして指定）し（ステップ２０３−２）、音量制御部２１で出力音量を調整し（ステップ２０３−１）、アレンジ制御部２２で指定された範囲のアレンジ（変調、ミキシング、エコー処理、テンポ調整、音声楽曲から音声消去（楽曲のみ抽出）または楽曲消去（音声のみ抽出）など）を行う（ステップ２０３−３）。この着信メロディの生成処理（ステップ２０２、２０３−１〜３）は、複数の楽曲データを利用することができ、この場合には、ステップ２０４からステップ２０２の処理に戻り、ステップ２０２からステップ２０１の処理に戻る。ステップ２０４からステップ２０２の戻りにより、同一の楽曲データを複数回使用することができ、ステップ２０２からステップ２０１の戻りにより、複数の楽曲データを使用することができる。
【００３２】
生成された着信メロディは、楽曲ＤＢ１４に記憶される（ステップ２０５）。このとき、物理的に接続された携帯電話２０のみに送信でき、ネットワーク４０を介して配信することができないようにフラグを利用した制御を行い、フラグと共に記憶する（フラグメンテーション処理）。また、着信メロディ生成部１６は、生成した着信メロディの送信回数を所定回数に制限することができ、この所定回数を着信メロディに付して記憶する。この場合には、送信回数が制限回数に達した場合、楽曲ＤＢ１４に記憶されている着信メロディを削除する。また、生成した着信メロディを送信する携帯電話２０を制限するようにすることができる。この携帯電話２０の制限を、該携帯電話固有のＩＤによって行うようにする。例えば、着信メロディを送信する携帯電話２０の最大数を制限し、その範囲内で生成した着信メロディに携帯電話固有のＩＤを紐付けて楽曲ＤＢ１４に登録する。
【００３３】
楽曲ＤＢ１４に記憶された着信メロディを携帯電話２０に送信する（ステップ２０６）。このとき、登録された携帯電話２０以外に出力した場合や、制限回数に達していた場合には（ステップ２０７）、出力エラーとなり、出力先などを再指定するか終了する（ステップ２０９、ステップ２１０）。
【００３４】
着信メロディが携帯電話２０に送信されたら、携帯電話２０で再生確認を行い、出力内容がＯＫであれば終了し、着信メロディを作り直したい場合にはステップ２０２の処理に戻る（ステップ２０８）。ここで、ステップ２０２ではなくステップ２０１の処理に戻ることもできる（図示せず）。
【００３５】
以上、本発明の着信メロディ作成装置及び着信メロディ作成方法について説明したが、上述した着信メロディ作成装置及び着信メロディ作成方法をコンピュータなどで実現及び実行可能なプログラムとすることもできる。
【００３６】
本発明の着信メロディ作成装置、着信メロディ作成方法及びプログラムによれば、ユーザが所有する音楽ＣＤやＤＶＤ、又はネットワークからダウンロードした音楽から自分だけのオリジナル着信メロディを簡単に作成することができる。
【図面の簡単な説明】
【００３７】
【図１】本発明の着信メロディ作成装置の一例を示す図である。
【図２】本発明の着信メロディ作成方法を示すフローチャートである。
【符号の説明】
【００３８】
１０  ＰＣ
１１  通信制御部
１２  媒体読取部
１３  外部入出力部
１４  楽曲ＤＢ
１５  一時記憶部
１６  着信メロディ生成部
１７  入力部
１８  楽曲出力部
２０  携帯電話
２１  音量制御部
２２  アレンジ制御部
２３  ポイント制御部
２４  再生部
２５  入出力制御部
３０  サーバ
４０  ネットワーク
５０Ａ，５０Ｂ  プロバイダ
【図１】
2006154353.tif 000003
【図２】
2006154353.tif 000004